(57)【要約】【課題】簡単な構成でファンの送風性能を確保しつつ防炎対策ができる空気調和機の室外機を提供する。【解決手段】略円形の開口部１aが設けられた板状の基部２と、上記基部２の開口部１aの縁から後方に延びた略環状の第１ベルマウス部３とを有する板金製の前板１と、その前板１の第１ベルマウス部３に連結された合成樹脂製の略環状の第２ベルマウス部４とを備える。【選択図】図１
2007212045.tif 000002
【特許請求の範囲】
【請求項１】
略円形の開口部が設けられた板状の基部(２,１２,２２,３２)と、上記基部(２,１２,２２,３２)の上記開口部の縁から後方に延びた略環状の第１ベルマウス部(３,１３,２３,３３)とを有する板金製の前板(１)と、
上記前板(１)の上記第１ベルマウス部(３,１３,２３,３３)に連結された略環状の第２ベルマウス部(４,１４,２４,３４)と
を備えたことを特徴とする空気調和機の室外機。
【請求項２】
請求項１に記載の空気調和機の室外機において、
上記第２ベルマウス部(４,１４,２４,３４)が合成樹脂製であることを特徴とする空気調和機の室外機。
【請求項３】
請求項１に記載の空気調和機の室外機において、
上記第２ベルマウス部が板金製であることを特徴とする空気調和機の室外機。
【請求項４】
請求項１乃至３のいずれか１つに記載の空気調和機の室外機において、
上記前板(１)の上記第１ベルマウス部(３,２３)の少なくとも一部と、上記第２ベルマウス部(４,２４)の前側の少なくとも一部が重なり合い、
上記第１ベルマウス部(３,２３)と上記第２ベルマウス部(４,２４,)とが重なり合う部分の一方に係合爪(６,２６)が設けられ、
上記第１ベルマウス部(３,２３)と上記第２ベルマウス部(４,２４)とが重なり合う部分の他方に上記係合爪(６,２６)に係合する係合部(７,２７)が設けられており、
上記係合爪(６,２６)を上記係合部(７,２７)に係合させることにより上記第１ベルマウス部(３,２３)と上記第２ベルマウス部(４,２４)とを連結していることを特徴とする空気調和機の室外機。
【請求項５】
請求項４に記載の空気調和機の室外機において、
上記第１ベルマウス部(２３)と上記第２ベルマウス部(２４)が重なり合う上記部分では、上記第１ベルマウス部(２３)の外周側を上記第２ベルマウス部(２４)が覆うように重なり、
上記第１ベルマウス部(２３)と上記第２ベルマウス部(２４)が重なり合う上記部分の上記第１ベルマウス部(２３)側に、上記第１ベルマウス部(２３)の内周の主曲面よりも半径方向外向に窪んだ凹部(２５)が設けられ、
上記第１ベルマウス部(２３)の上記凹部(２５)内に上記係合部(２７)が設けられていることを特徴とする空気調和機の室外機。
【請求項６】
請求項４に記載の空気調和機の室外機において、
上記第１ベルマウス部と上記第２ベルマウス部が重なり合う上記部分では、上記第２ベルマウス部の外周側を上記第１ベルマウス部が覆うように重なり、
上記第１ベルマウス部と上記第２ベルマウス部が重なり合う上記部分の上記第２ベルマウス部側に、上記第２ベルマウス部の内周の主曲面よりも半径方向外向に窪んだ凹部が設けられ、
上記第２ベルマウス部の上記凹部内に上記係合部が設けられていることを特徴とする空気調和機の室外機。
【請求項７】
請求項１乃至３のいずれか１つに記載の空気調和機の室外機において、
上記前板(１)の上記第１ベルマウス部(１３,３３)の少なくとも一部と、上記第２ベルマウス部(１４,３４)の前側の少なくとも一部が重なり合い、
上記第１ベルマウス部(１３,３３)と上記第２ベルマウス部(１４,３４)が重なり合う部分を、ねじを用いて連結していることを特徴とする空気調和機の室外機。
【請求項８】
請求項７に記載の空気調和機の室外機において、
上記第１ベルマウス部(３３)と上記第２ベルマウス部(３４)が重なり合う上記部分では、上記第１ベルマウス部(３３)の外周側を上記第２ベルマウス部(３４)が覆うように重なり、
上記第１ベルマウス部(３３)と上記第２ベルマウス部(３４)が重なり合う上記部分の上記第１ベルマウス部(３３)側に、上記第１ベルマウス部(３３)の内周の主曲面よりも半径方向外向に窪んだ凹部(３５)が設けられ、
上記第１ベルマウス部(３３)の上記凹部(３５)内にねじ用穴が設けられ、
上記第１ベルマウス部(３３)の上記凹部(３５)のねじ用穴に対向する上記第２ベルマウス部(３４)の位置にねじ用穴が設けられ、
上記第１ベルマウス部(３３)の上記凹部(３５)のねじ用穴および上記第２ベルマウス部(３４)のねじ用穴に挿通させた上記ねじにより上記第１ベルマウス部(３３)と上記第２ベルマウス部(３４)とを連結していることを特徴とする空気調和機の室外機。
【請求項９】
請求項８に記載の空気調和機の室外機において、
上記第２ベルマウス部(４４)に設けられたねじ用穴は、内周にねじ溝を有するボス穴であり、
上記第１ベルマウス部(４３)の上記凹部(４５)のねじ用穴に挿通させた上記ねじを、上記第２ベルマウス部(４４)の上記ボス穴に螺合させて、上記第１ベルマウス部(４３)と上記第２ベルマウス部(４４)とを連結していることを特徴とする空気調和機の室外機。
【請求項１０】
請求項７に記載の空気調和機の室外機において、
上記第１ベルマウス部(１３)と上記第２ベルマウス部(１４)が重なり合う上記部分では、上記第２ベルマウス部(１４)の外周側を上記第１ベルマウス部(１３)が覆うように重なり、
上記第１ベルマウス部(１３)と上記第２ベルマウス部(１４)が重なり合う上記部分の上記第２ベルマウス部(１４)側に、上記第２ベルマウス部(１４)の内周の主曲面よりも半径方向外向に窪んだ凹部(１５)が設けられ、
上記第２ベルマウス部(１４)の上記凹部(１５)内にねじ用穴が設けられ、
上記第２ベルマウス部(１４)の上記凹部(１５)のねじ用穴に対向する上記第１ベルマウス部(１３)の位置にねじ用穴が設けられ、
上記第２ベルマウス部(１４)の上記凹部(１５)のねじ用穴および上記第１ベルマウス部(１３)のねじ用穴に挿通させた上記ねじにより上記第１ベルマウス部(１３)と上記第２ベルマウス部(１４)とを連結していることを特徴とする空気調和機の室外機。
【発明の詳細な説明】
【技術分野】
【０００１】
この発明は、空気調和機の室外機に関する。
【背景技術】
【０００２】
従来、空気調和機の室外機としては、ファンの送風性能を向上させるために送風ファンの外周縁を囲む合成樹脂製のベルマウスを備えたものがある(例えば、特開平８−１５９０９８号公報(特許文献１)参照)。
【０００３】
上記空気調和機の室外機では、外部からのもらい火や付け火により合成樹脂性の前板やベルマウスが燃えるため、防炎対策としてベルマウス部が一体に形成された板金製の前板を採用することが考えられる。しかしながら、このような板金製の前板は、絞り加工に限界があるため、十分な送風性能を確保できる形状のベルマウス部を形成できないという問題がある。
【特許文献１】特開平８−１５９０９８号公報
【発明の開示】
【発明が解決しようとする課題】
【０００４】
そこで、この発明の課題は、簡単な構成でファンの送風性能を確保しつつ防炎対策ができる空気調和機の室外機を提供することにある。
【課題を解決するための手段】
【０００５】
上記課題を解決するため、この発明の空気調和機の室外機は、
略円形の開口部が設けられた板状の基部と、上記基部の上記開口部の縁から後方に延びた略環状の第１ベルマウス部とを有する板金製の前板と、
上記前板の上記第１ベルマウス部に連結された略環状の第２ベルマウス部と
を備えたことを特徴とする。
【０００６】
上記構成の空気調和機の室外機によれば、板金製の前板の基部と第１ベルマウス部が外部に面しているので、外部からのもらい火や付け火に対して延焼を防ぐことができると共に、前板の略環状の第１ベルマウス部と略環状の第２ベルマウス部とを連結することにより、ベルマウス部の軸方向長さを長くして、送風性能を向上できる。したがって、簡単な構成でファンの送風性能を確保しつつ防炎対策ができる。
【０００７】
また、一実施形態の空気調和機の室外機は、上記第２ベルマウス部が合成樹脂製である。
【０００８】
上記実施形態の空気調和機の室外機によれば、上記第２ベルマウス部に合成樹脂製のものを用いることによって、設計の自由度が広がり、製作が容易にできる。
【０００９】
また、一実施形態の空気調和機の室外機は、上記第２ベルマウス部が板金製である。
【００１０】
上記実施形態の空気調和機の室外機によれば、上記第２ベルマウス部に板金製のものを用いることによって、より効果的な防炎ができる。
【００１１】
また、一実施形態の空気調和機の室外機は、
上記前板の上記第１ベルマウス部の少なくとも一部と、上記第２ベルマウス部の前側の少なくとも一部が重なり合い、
上記第１ベルマウス部と上記第２ベルマウス部とが重なり合う部分の一方に係合爪が設けられ、
上記第１ベルマウス部と上記第２ベルマウス部とが重なり合う部分の他方に上記係合爪に係合する係合部が設けられており、
上記係合爪を上記係合部に係合させることにより上記第１ベルマウス部と上記第２ベルマウス部とを連結している。
【００１２】
上記実施形態の空気調和機の室外機によれば、上記第１ベルマウス部と上記第２ベルマウス部とが重なり合う部分の一方に設けられた係合爪と、上記第１ベルマウス部と第２ベルマウス部とが重なり合う上記部分の他方に設けられた係合部との係合により、第１ベルマウス部と第２ベルマウス部とを連結しているので、第１ベルマウス部を有する前板と第２ベルマウス部との組み立てが容易にできる。
【００１３】
また、一実施形態の空気調和機の室外機は、
上記第１ベルマウス部と上記第２ベルマウス部が重なり合う上記部分では、上記第１ベルマウス部の外周側を上記第２ベルマウス部が覆うように重なり、
上記第１ベルマウス部と上記第２ベルマウス部が重なり合う上記部分の上記第１ベルマウス部側に、上記第１ベルマウス部の内周の主曲面よりも半径方向外向に窪んだ凹部が設けられ、
上記第１ベルマウス部の上記凹部内に上記係合部が設けられている。
【００１４】
上記実施形態の空気調和機の室外機によれば、上記第１ベルマウス部と第２ベルマウス部が重なり合う上記部分の第１ベルマウス部側に、第１ベルマウス部の内周の主曲面よりも半径方向外向に窪んだ凹部を設けて、その凹部内に係合部を設けているので、係合部に係合した係合爪が第１ベルマウス部の内周側に突出しないようにすることにより、空気の流れを乱さないようにでき、送風性能の低下を防ぐことができる。
【００１５】
また、一実施形態の空気調和機の室外機は、
上記第１ベルマウス部と上記第２ベルマウス部が重なり合う上記部分では、上記第２ベルマウス部の外周側を上記第１ベルマウス部が覆うように重なり、
上記第１ベルマウス部と上記第２ベルマウス部が重なり合う上記部分の上記第２ベルマウス部側に、上記第２ベルマウス部の内周の主曲面よりも半径方向外向に窪んだ凹部が設けられ、
上記第２ベルマウス部の上記凹部内に上記係合部が設けられている。
【００１６】
上記実施形態の空気調和機の室外機によれば、上記第１ベルマウス部と第２ベルマウス部が重なり合う上記部分の第２ベルマウス部側に、第２ベルマウス部の内周の主曲面よりも半径方向外向に窪んだ凹部を設けて、その凹部内に係合部を設けているので、係合部に係合した係合爪が第２ベルマウス部の内周側に突出しないようにすることにより、空気の流れを乱さないようにでき、送風性能の低下を防ぐことができる。
【００１７】
また、一実施形態の空気調和機の室外機は、
上記前板の上記第１ベルマウス部の少なくとも一部と、上記第２ベルマウス部の前側の少なくとも一部が重なり合い、
上記第１ベルマウス部と上記第２ベルマウス部が重なり合う部分を、ねじを用いて連結している。
【００１８】
上記実施形態の空気調和機の室外機によれば、上記第１ベルマウス部と第２ベルマウス部が重なり合う部分を、ねじを用いて連結しているので、前板の第１ベルマウス部に第２ベルマウス部を確実に固定できる。
【００１９】
また、一実施形態の空気調和機の室外機は、
上記第１ベルマウス部と上記第２ベルマウス部が重なり合う上記部分では、上記第１ベルマウス部の外周側を上記第２ベルマウス部が覆うように重なり、
上記第１ベルマウス部と上記第２ベルマウス部が重なり合う上記部分の上記第１ベルマウス部側に、上記第１ベルマウス部の内周の主曲面よりも半径方向外向に窪んだ凹部が設けられ、
上記第１ベルマウス部の上記凹部内にねじ用穴が設けられ、
上記第１ベルマウス部の上記凹部のねじ用穴に対向する上記第２ベルマウス部の位置にねじ用穴が設けられ、
上記第１ベルマウス部の上記凹部のねじ用穴および上記第２ベルマウス部のねじ用穴に挿通させた上記ねじにより上記第１ベルマウス部と上記第２ベルマウス部とを連結している。
【００２０】
上記実施形態の空気調和機の室外機によれば、上記第１ベルマウス部と第２ベルマウス部が重なり合う上記部分の第１ベルマウス部側に、第１ベルマウス部の内周の主曲面よりも半径方向外向に窪んだ凹部を設けて、その凹部内にねじ用穴を設けているので、そのねじ用穴に挿入されたねじが第１ベルマウス部の内周側に突出しないようにすることにより、空気の流れを乱さないようにでき、送風性能の低下を防ぐことができる。
【００２１】
この実施形態では、上記第１ベルマウス部の凹部内のねじ用穴の内周にねじ溝を設けて、第２ベルマウス部側のねじ用穴からねじを挿入して締め付けてもよいし、逆に第２ベルマウス部のねじ用穴の内周にねじ溝を設けて、第１ベルマウス部の凹部内のねじ用穴からねじを挿入して締め付けてもよい。
【００２２】
また、一実施形態の空気調和機の室外機は、
上記第２ベルマウス部に設けられたねじ用穴は、内周にねじ溝を有するボス穴であり、
上記第１ベルマウス部の上記凹部のねじ用穴に挿通させた上記ねじを、上記第２ベルマウス部の上記ボス穴に螺合させて、上記第１ベルマウス部と上記第２ベルマウス部とを連結している。
【００２３】
上記実施形態の空気調和機の室外機によれば、上記第１ベルマウス部の凹部のねじ用穴に挿通させた上記ねじを、第２ベルマウス部のボス穴に螺合させることによって、第１ベルマウス部と第２ベルマウス部とをより確実に連結できる。
【００２４】
また、一実施形態の空気調和機の室外機は、
上記第１ベルマウス部と上記第２ベルマウス部が重なり合う上記部分では、上記第２ベルマウス部の外周側を上記第１ベルマウス部が覆うように重なり、
上記第１ベルマウス部と上記第２ベルマウス部が重なり合う上記部分の上記第２ベルマウス部側に、上記第２ベルマウス部の内周の主曲面よりも半径方向外向に窪んだ凹部が設けられ、
上記第２ベルマウス部の上記凹部内にねじ用穴が設けられ、
上記第２ベルマウス部の上記凹部のねじ用穴に対向する上記第１ベルマウス部の位置にねじ用穴が設けられ、
上記第２ベルマウス部の上記凹部のねじ用穴および上記第１ベルマウス部のねじ用穴に挿通させた上記ねじにより上記第１ベルマウス部と上記第２ベルマウス部とを連結している。
【００２５】
上記実施形態の空気調和機の室外機によれば、上記第１ベルマウス部と第２ベルマウス部が重なり合う上記部分の第２ベルマウス部側に、第２ベルマウス部の内周の主曲面よりも半径方向外向に窪んだ凹部を設けて、その凹部内にねじ用穴を設けているので、そのねじ用穴に挿入されたねじが第２ベルマウス部の内周側に突出しないようにすることにより、空気の流れを乱さないようにでき、送風性能の低下を防ぐことができる。
【００２６】
この実施形態では、上記第１ベルマウス部の凹部内のねじ用穴の内周にねじ溝を設けて、第２ベルマウス部側のねじ用穴からねじを挿入して締め付けてもよいし、逆に第２ベルマウス部のねじ用穴の内周にねじ溝を設けて、第１ベルマウス部の凹部内のねじ用穴からねじを挿入して締め付けてもよい。
【発明の効果】
【００２７】
以上より明らかなように、この発明の空気調和機の室外機によれば、板金製の前板の基部と第１ベルマウス部が外部に面し、第１ベルマウス部の後方に第２ベルマウス部を連結している簡単な構成によって、ファンの送風性能を確保しつつ防炎対策ができる。
【００２８】
また、一実施形態の空気調和機の室外機によれば、上記第１ベルマウス部に連結された第２ベルマウス部に合成樹脂製のものを用いることによって、設計の自由度が広がり、製作が容易にできる。
【００２９】
また、一実施形態の空気調和機の室外機によれば、上記第１ベルマウス部に連結された第２ベルマウス部に板金製のものを用いることによって、より効果的な防炎性能が得られる。
【００３０】
また、一実施形態の空気調和機の室外機によれば、上記第１ベルマウス部と上記第２ベルマウス部とが重なり合う部分の一方に設けられた係合爪と上記部分の他方に設けられた係合部との係合によって、第１ベルマウス部と第２ベルマウス部とを連結しているので、第１ベルマウス部を有する前板と第２ベルマウス部との組み立てが容易にできる。
【００３１】
また、一実施形態の空気調和機の室外機によれば、上記第１ベルマウス部と第２ベルマウス部が重なり合う上記部分の第１ベルマウス部側に、第１ベルマウス部の内周の主曲面よりも半径方向外向に窪んだ凹部を設けて、その凹部内に係合部を設けているので、係合部に係合した係合爪が第１ベルマウス部の内周側に突出しないようにでき、ベルマウス内の空気流の乱れを抑えて、送風性能の低下を防ぐことができる。
【００３２】
また、一実施形態の空気調和機の室外機によれば、上記第１ベルマウス部と第２ベルマウス部が重なり合う上記部分の第２ベルマウス部側に、第２ベルマウス部の内周の主曲面よりも半径方向外向に窪んだ凹部を設けて、その凹部内に係合部を設けているので、係合部に係合した係合爪が第２ベルマウス部の内周側に突出しないようにでき、ベルマウス内の空気流の乱れを抑えて、送風性能の低下を防ぐことができる。
【００３３】
また、一実施形態の空気調和機の室外機によれば、上記第１ベルマウス部と第２ベルマウス部が重なり合う部分を、ねじを用いて連結しているので、前板の第１ベルマウス部に第２ベルマウス部を確実に固定できる。
【００３４】
また、一実施形態の空気調和機の室外機によれば、上記第１ベルマウス部と第２ベルマウス部が重なり合う上記部分の第１ベルマウス部側に、第１ベルマウス部の内周の主曲面よりも半径方向外向に窪んだ凹部を設けて、その凹部内にねじ用穴を設けているので、そのねじ用穴に挿入されたねじが第１ベルマウス部の内周側に突出しないようにでき、ベルマウス内の空気流の乱れを抑えて、送風性能の低下を防ぐことができる。
【００３５】
また、一実施形態の空気調和機の室外機によれば、上記第１ベルマウス部と第２ベルマウス部が重なり合う上記部分の第２ベルマウス部側に、第２ベルマウス部の内周の主曲面よりも半径方向外向に窪んだ凹部を設けて、その凹部内にねじ用穴を設けているので、そのねじ用穴に挿入されたねじが第２ベルマウス部の内周側に突出しないようにでき、ベルマウス内の空気流の乱れを抑えて、送風性能の低下を防ぐことができる。
【発明を実施するための最良の形態】
【００３６】
以下、この発明の空気調和機の室外機を図示の実施の形態により詳細に説明する。
【００３７】
（第１実施形態）
図１はこの発明の第１実施形態の空気調和機の室外機の筐体の要部の斜視図を示している。図１において、右斜め上向が前面側、左斜め下向が後面側(機内側)である。
【００３８】
この第１実施形態の空気調和機の室外機は、円穴１aが設けられた板状の基部２と、上記基部２の円穴１aの縁から後方に延びた略環状の第１ベルマウス部３とを有する板金製の前板２を備えている。また、この空気調和機の室外機は、前板２の第１ベルマウス部３の後端側に前端側が連結された合成樹脂製の略環状の第２ベルマウス部４を備えている。
【００３９】
また、図２は図１に示すII−II線から見た断面図を示している。詳しくは、図２は、図１においてII−II線を含む水平面に沿った断面を上方から見た図である。
【００４０】
図２に示すように、前板２の第１ベルマウス部３と第２ベルマウス部４で構成されるベルマウスの内周に送風ファン４１を配置し、その送風ファン４１をモータ４２により駆動する。上記略環状の第１,第２ベルマウス部３,４の中心軸と送風ファン４１の軸とは略一致している。
【００４１】
また、図３は図２の要部Ａの拡大断面図を示しており、図３に示すように、前板２の第１ベルマウス部３は、基部２の円穴１aの縁から後方に向かって徐々に縮径するように延びた円錐筒形状の部分３aと、上記円錐部３aの先端から後方に向かって徐々に拡径するように延びた円錐筒形状の部分３bとを有する。
【００４２】
また、第２ベルマウス部４は、第１ベルマウス部３の円錐筒形状の部分３aと円錐筒形状の部分３bとの連結部近傍から後方に向かって延びた略円筒形状の部分４aと、上記円筒形状の部分４aの先端から後方に向かって徐々に拡径するように延びたホーン形状の部分４bとを有する。
【００４３】
上記第２ベルマウス部４の前端かつ外側に係合爪６を設けている。一方、上記前板２の第１ベルマウス部３の後端に、第２ベルマウス部４の係合爪６に係合する係合部の一例としての係合穴７を設けている。
【００４４】
上記係合爪６を係合穴７に係合させることにより第１ベルマウス部３と第２ベルマウス部４とを連結している。
【００４５】
上記構成の空気調和機の室外機によれば、板金製の前板１の基部２と第１ベルマウス部３が外部に面し、第１ベルマウス部３の後方に第２ベルマウス部４を連結している簡単な構成によって、送風ファン４１の送風性能を確保しつつ防炎対策ができる。
【００４６】
また、上記第２ベルマウス部４に合成樹脂製のものを用いることによって、設計の自由度が広がり、製作が容易にでき、コストを低減することができる。
【００４７】
なお、上記第１実施形態では、係合爪６を係合穴７に係合させることにより第１ベルマウス部３と第２ベルマウス部４とを連結したが、ねじを用いて第１ベルマウス部と第２ベルマウス部とを連結してもよい。
【００４８】
例えば、図４に示すように、前板１２の第１ベルマウス部１３は、基部１２の円穴１１aの縁から後方に向かって徐々に縮径するように延びた円錐筒形状の部分１３aと、上記円錐筒形状の部分１３aの先端から後方に向かって徐々に拡径するように延びた円錐筒形状の部分１３bとを有する。
【００４９】
また、第２ベルマウス部１４は、第１ベルマウス部１３の円錐筒形状の部分１３aと円錐筒形状の部分１３bとの連結部近傍から後方に向かって延びた略円筒形状の部分１４aと、上記略円筒形状の部分１４aの先端から後方に向かって徐々に拡径するように延びたホーン形状の部分１４bとを有する。
【００５０】
上記第２ベルマウス部１４の前側に、ねじ用穴１６を有する凹部１５を設けている。一方、上記前板１２の第１ベルマウス部１３の後端に第２ベルマウス部１４の凹部１５のねじ用穴１６に対向する位置にねじ用穴１７を設けている。このねじ用穴１７の内周にねじ溝(図示せず)を設けている。なお、第２ベルマウス部１４の前側に設けられた凹部１５は、第２ベルマウス部１４の全周にわたって環状に設けたものではなく、周方向に所定の間隔をあけて例えば６０°毎に設ける。
【００５１】
上記凹部１５のねじ用穴１６およびねじ用穴１７に挿通させたねじ１８を締め付けることにより、第１ベルマウス部１３と第２ベルマウス部１４とを連結している。
【００５２】
上記第１ベルマウス部１３と第２ベルマウス部１４が重なり合う部分を、ねじ１８を用いて連結しているので、第１ベルマウス部１３に第２ベルマウス部１４を確実に固定することができる。
【００５３】
また、上記第１ベルマウス部１３と第２ベルマウス部１４が重なり合う上記部分の第２ベルマウス部１４側に、第２ベルマウス部１４の内周の主曲面よりも半径方向外向に窪んだ凹部１５を設けて、その凹部１５内にねじ用穴１６を設けているので、そのねじ用穴１６に挿入されたねじ１８が第２ベルマウス部１４の内周側に突出しないようにでき、ベルマウス内の空気流の乱れを抑えて、送風性能の低下を防ぐことができる。
【００５４】
また、係合爪と係合穴の係合およびねじ止めの両方用いて、第１ベルマウス部と第２ベルマウス部とを連結してもよい。例えば、３つの係合箇所と３つのねじ止め箇所を、周方向に所定の間隔をあけて交互に設けて、係合爪と係合穴の係合により第１ベルマウス部に第２ベルマウス部を仮止めした後、ねじを用いて第１ベルマウス部に第２ベルマウス部を固定することにより、組み立ての作業性が向上する。
【００５５】
（第２実施形態）
図５はこの発明の第２実施形態の空気調和機の室外機の筐体の要部の斜視図を示している。図１において、右斜め上向が前面側、左斜め下向が後面側(機内側)である。
【００５６】
この第２実施形態の空気調和機の室外機は、円穴２１aが設けられた板状の基部２２と、上記基部２２の円穴２１aの縁から後方に延びた略環状の第１ベルマウス部２３とを有する板金製の前板２２を備えている。また、この空気調和機の室外機は、前板２２の第１ベルマウス部２３の後端側に前端側が連結された合成樹脂製の略環状の第２ベルマウス部２４を備えている。
【００５７】
また、図６は図５に示すVI−VI線から見た断面図を示している。詳しくは、図６は、図５においてVI−VI線を含む水平面に沿った断面を上方から見た図である。
【００５８】
図６に示すように、前板２２の第１ベルマウス部２３と第２ベルマウス部２４で構成されるベルマウスの内周に送風ファン４１を配置し、その送風ファン４１をモータ４２により駆動する。上記略環状の第１,第２ベルマウス部２３,２４の中心軸と送風ファン４１の軸とは略一致している。
【００５９】
また、図７は図６の要部Ｂの拡大断面図を示しており、図７に示すように、前板２２の第１ベルマウス部２３は、基部２２の円穴２１aの縁から後方に向かって徐々に縮径するように延びた円錐筒形状の部分２３aと、上記円錐筒形状の部分２３aの先端から後方に向かって延びた円筒形状の部分２３bとを有する。
【００６０】
また、第２ベルマウス部２４は、第１ベルマウス部２３の円錐筒形状の部分２３aを囲うように、かつ、基部２２の円穴２１aの縁近傍から後方に向かって徐々に縮径するように延びた円錐筒形状の部分２４aと、上記円錐筒形状の部分２４aの先端から後方に向かって延びた円筒形状の部分２４bと、上記円筒形状の部分２４bの先端から後方に向かって徐々に拡径するように延びたホーン形状の部分２４cとを有する。
【００６１】
上記第２ベルマウス部２４の前端に、前方に向かって突出する係合爪２６を設けている。一方、上記第１ベルマウス部２３の円穴２１aの縁近傍に凹部２５を設けて、その凹部２５に、第２ベルマウス部２４の係合爪２６に係合する係合部の一例としての係合穴２７を設けている。なお、第１ベルマウス部２３に設けられた凹部２５は、第１ベルマウス部２３の全周にわたって環状に設けたものではなく、周方向に所定の間隔をあけて例えば６０°毎に設ける。
【００６２】
上記係合爪２６を係合穴２７に係合させることにより第１ベルマウス部２３と第２ベルマウス部２４とを連結している。
【００６３】
上記構成の空気調和機の室外機によれば、板金製の前板２１の基部２２と第１ベルマウス部２３が外部に面し、第１ベルマウス部２３の後方に第２ベルマウス部２４を連結している簡単な構成によって、送風ファン４１の送風性能を確保しつつ防炎対策ができる。
【００６４】
また、上記第２ベルマウス部２４に合成樹脂製のものを用いることによって、設計の自由度が広がり、製作が容易にでき、コストを低減することができる。
【００６５】
また、上記第１ベルマウス部２３と第２ベルマウス部２４が重なり合う上記部分の第１ベルマウス部２３側に、第１ベルマウス部２３の内周の主曲面よりも半径方向外向に窪んだ凹部２５を設けて、その凹部２５内に係合穴２７を設けているので、係合穴２７に係合した係合爪２６が第１ベルマウス部２３の内周側に突出しないようにでき、ベルマウス内の空気流の乱れを抑えて、送風性能の低下を防ぐことができる。
【００６６】
なお、上記第１実施形態では、係合爪２６を係合穴２７に係合させることにより第１ベルマウス部２３と第２ベルマウス部２４とを連結したが、ねじを用いて第１ベルマウス部と第２ベルマウス部とを連結してもよい。
【００６７】
例えば、図８に示すように、前板３２の第１ベルマウス部３３は、基部３２の円穴３１aの縁から後方に向かって徐々に縮径するように延びた円錐筒形状の部分３３aと、上記円錐筒形状の部分３３aの先端から後方に向かって延びた円筒形状の部分３３bとを有する。
【００６８】
また、第２ベルマウス部３４は、第１ベルマウス部３３の円錐筒形状の部分３３aを囲うように、かつ、基部３２の円穴３１aの縁近傍から後方に向かって徐々に縮径するように延びた円錐筒形状の部分３４aと、上記円錐筒形状の部分３４aの先端から後方に向かって延びた円筒形状の部分３４bと、上記円筒形状の部分３４bの先端から後方に向かって徐々に拡径するように延びたホーン形状の部分３４cとを有する。
【００６９】
上記前板３２の第１ベルマウス部２３の円穴２１aの縁近傍に、ねじ用穴３６を有する凹部３５を設けている。このねじ用穴３６の内周にねじ溝(図示せず)を設けている。一方、上記第２ベルマウス部３４の後端に第１ベルマウス部３３の凹部３５のねじ用穴３６に対向する位置にねじ用穴３７を設けている。
【００７０】
上記凹部３５のねじ用穴３６およびねじ用穴３７に挿通させたねじ３８を締め付けることにより、第１ベルマウス部３３と第２ベルマウス部３４とを連結している。
【００７１】
上記第１ベルマウス部３３と第２ベルマウス部３４が重なり合う部分を、ねじ３８を用いて連結しているので、第１ベルマウス部３３に第２ベルマウス部３４を確実に固定することができる。
【００７２】
また、上記第１ベルマウス部３３と第２ベルマウス部３４が重なり合う上記部分の第１ベルマウス部３３側に、第１ベルマウス部３３の内周の主曲面よりも半径方向外向に窪んだ凹部３５を設けて、その凹部３５内にねじ用穴３６を設けているので、そのねじ用穴３６に挿入されたねじ３８が第２ベルマウス部３４の内周側に突出しないようにでき、ベルマウス内の空気流の乱れを抑えて、送風性能の低下を防ぐことができる。
【００７３】
また、上記第２ベルマウス部の連結部にねじ用のボスを備えることにより、第１ベルマウス側からねじを締め付けることにより、第１,第２ベルマウス部を連結してもよい。例えば、図９に示すように、第１,第２ベルマウス部４３,４４を連結してもよい。図９において、４１aは開口部、４２は基部、４３は第１ベルマウス部、４４は第２ベルマウス部、４５は凹部、４６はねじ用穴、４７…ボス、４７aはボス穴、４８はねじである。このボス穴４７aの内周にねじ溝を設けている。
【００７４】
また、係合爪と係合穴の係合およびねじ止めの両方用いて、第１ベルマウス部と第２ベルマウス部とを連結してもよい。例えば、３つの係合箇所と３つのねじ止め箇所を、周方向に所定の間隔をあけて交互に設けて、係合爪と係合穴の係合により第１ベルマウス部に第２ベルマウス部を仮止めした後、ねじを用いて第１ベルマウス部に第２ベルマウス部を固定することにより、組み立ての作業性が向上する。
【００７５】
上記第１,第２実施形態では、板金製の前板１,２１は、板状の基部２,２２と、その基部２,２２の開口部１a,２１aの縁から後方に延びた第１ベルマウス部３,２３とを絞り加工を用いて一体に形成したが、板金製の前板はこれに限らず、板状の基部と第１ベルマウス部とを板金で別々に形成した後に組み合わせたものでもよい。
【００７６】
また、上記第１,第２実施形態では、第１ベルマウス部３,２３と第２ベルマウス部４,２４とが重なり合う部分は、第１ベルマウス部３,２３と第２ベルマウス部４,２４の全周にわたって重なり合っていたが、第１ベルマウス部と第２ベルマウス部が全周にわたって重なり合うものでなくともよく、例えば、第２ベルマウス部の前側の数箇所から第１ベルマウス部の外周を覆うように前方に延びた複数の連結部材を設けたものでもよい。
【図面の簡単な説明】
【００７７】
【図１】図１はこの発明の第１実施形態の空気調和機の室外機の筐体の要部の斜視図である。
【図２】図２は図１に示すII−II線から見た断面図である。
【図３】図３は図２の要部Ａの拡大断面図である。
【図４】図４はねじを用いて第１,第２ベルマウス部を連結する場合の図２の要部Ａの拡大断面図である。
【図５】図５はこの発明の第２実施形態の空気調和機の室外機の筐体の要部の斜視図である。
【図６】図６は図５に示すVI−VI線から見た断面図である。
【図７】図７は図５の要部Ｂの拡大断面図である。
【図８】図８はねじを用いて第１,第２ベルマウス部を連結する場合の図５の要部Ｂの拡大断面図である。
【図９】図９はねじとボスを用いて第１,第２ベルマウス部を連結する場合の図５の要部Ｂの拡大断面図である。
【符号の説明】
【００７８】
１,２１…前板
１a,２１a,３１a,４１a…開口部
２,１２,２２,３２,４２…基部
３,１３,２３,３３,４３…第１ベルマウス部
４,１４,２４,３４,４４…第２ベルマウス部
６,２６…係合爪
７,２７…係合穴
１５,２５,３５,４５…凹部
１６,１７,２６,２７,３６,３７,４６…ねじ用穴
１８,３８,４８…ねじ
４１…送風ファン
４２…モータ
【図１】
2007212045.tif 000003
【図２】
2007212045.tif 000004
【図３】
2007212045.tif 000005
【図４】
2007212045.tif 000006
【図５】
2007212045.tif 000007
【図６】
2007212045.tif 000008
【図７】
2007212045.tif 000009
【図８】
2007212045.tif 000010
【図９】
2007212045.tif 000011